(57)【特許請求の範囲】
【請求項１】
送電用鉄塔に取り付ける簡易アームにおいて、一対のアーム主材（２）（２）の先端は対応する鋼板（１）（１）に接合され、各アーム主材（２）の軸心延長上と一致する各鋼板（１）の任意の位置に、両鋼板を開閉可能にするメインボルト（５）が差し込まれるボルト孔が設けられ、各鋼板（１）に縦向きのリブ（３）を鋼板（１）の長手方向に溶接して、各リブ（３）に各吊材（４）の先端をおのおの一本の吊材用ボルト（７）で接合して、アーム主材（２）とこれに対応して設けられる吊材（４）と鋼板（１）とで構成されるユニットを対称形に二体用意し、二体のユニットの鋼板（１）のメインボルト用孔を重ねて、一本のメインボルト（５）で接合し、前記メインボルト（５）を支点として、二体のユニットの成す角度を塔体幅に合わせて調整すると共に、前記吊材用ボルト（７）を支点として、吊材（４）の取り付け角度をパネル高さに合わせて調整して、二体のユニットのアーム主材（２）と吊材（４）の後端部が鉄塔に取り付けられること、を特徴とする送電鉄塔用簡易アーム。
【発明の詳細な説明】
【０００１】
【産業上の利用分野】
本発明は、送電鉄塔に取り付けるアームにおいて、鉄塔の幅や高さおよび規模に関係無く自由に取り付けることができ、運搬や保管が容易である送電鉄塔用簡易アームに関する。
【０００２】
【従来の技術】
従来、送電鉄塔の建設時や改造時において、送電線を一時的に仮留めするために、一時的に取り付ける仮アームが用いられてきた。しかし、送電鉄塔は鉄塔の幅や高さ規模が各々で異なるため、仮アームも各鉄塔ごとに設計、製作されてきた。そのため、一度使用した仮アームは、工事終了後他の鉄塔に使用することができず、破棄されることが多かった。
【０００３】
しかし、破棄する仮アームは強度的問題で破棄されるわけでは無く、再び使用しても問題ないものが多かった。そのため、１度しか使用していない仮アームを破棄するのは、抵抗があった。それでも、将来的に使用する可能性の低い仮アームを保管することは、保管場所と保管コストがかかり、経済的に問題があった。
【０００４】
【発明が解決しようとする課題】
本発明は、従来の技術の有するこのような問題点に鑑みてなされたものであり、送電鉄塔に使用されるアームについて、様々な塔体幅やパネル高さに適応して使用でき、容易に分解、組立ができ、軽量コンパクトで運搬や保管が容易な簡易アームの構造を提供する。
【０００５】
【課題を解決するための手段】
上記目的を達成するために、本発明における送電用鉄塔用の簡易アームは、一対のアーム主材の先端は対応する鋼板に接合され、各アーム主材の軸心延長上と一致する各鋼板の任意の位置に、両鋼板を開閉可能にするメインボルトが差し込まれるボルト孔が設けられ、各鋼板に縦向きのリブを鋼板の長手方向に溶接して、各リブに各吊材の先端をおのおの一本の吊材用ボルトで接合して、アーム主材とこれに対応して設けられる吊材と鋼板とで構成されるユニットを対称形に二体用意し、二体のユニットの鋼板のメインボルト用孔を重ねて、一本のメインボルトで接合し、前記メインボルトを支点として、二体のユニットの成す角度を塔体幅に合わせて調整すると共に、前記吊材用ボルトを支点として、吊材の取り付け角度をパネル高さに合わせて調整して、二体のユニットのアーム主材と吊材の後端部が鉄塔に取り付けられることを特徴とする。
【０００６】
【発明の実施の形態】
以下、実施の形態を示す図面に基づき、本発明を詳説する。
図1は、簡易アームの斜視図である。簡易アームは、対称型の一対のユニットＡ、Ｂの先端を一本のボルト５で接合して構成され、詳しくは後述する。
【０００７】
図２は、簡易アームのアーム主材２および鋼板１を上から見た平面図である。図１、図２において各々のユニットＡ、Ｂは、アーム主材２とこれに対応して設けられる吊材４と鋼板１とで構成され、アーム主材２と吊材４の先端部は、鋼板１にボルト接合されている。アーム主材２は１本または２本の山形鋼で構成され、アーム主材の先端はアーム主材の山形鋼と鋼板１が複数のボルト６で接合されている。鋼板１には、アーム主材２の軸心延長線上の任意位置へメインボルト５が差し込まれるボルト孔が設けられるとともに、吊材４を支持するための縦向きのリブ３が鋼板１の長手方向に溶接されている。リブ３の長手方向の長さは、一対のユニットＡ、Ｂがボルト５を支点として開閉できるように調整されている。なお、アーム主材の山形鋼と鋼板１とは溶接により接合されてもよい。また、鋼板１には架渉線等の取り付け用の孔が必要数設けられている。
【０００８】
図３は、簡易アームの側面図である。鋼板１に溶接された縦向きのリブ３には、吊材用ボルト７が差し込まれるボルト孔が開けられ、吊材４の先端と吊材用ボルト７で接合される。このとき、吊材４は１本の吊材用ボルト７で接合されるため、この吊材用ボルト７を支点として吊材４の取り付け角度が変更でき、異なる鉄塔のパネル高さＤ（図４参照）に対して吊材の取り付け角度を容易に変えることができる。
【０００９】
図２、図３に示した簡易アームのユニットＡ，Ｂは対称形に一対用意され、それぞれのユニットＡ、Ｂのアーム主材２の先端に取り付けられた鋼板１に設けられたメインボルト５用のボルト孔を重ねて、一本のメインボルト５で接合するため、メインボルト５を支点としてユニットＡ、Ｂの成す角度は容易に変えることができ、異なる塔体幅Ｃに対しても簡易アームのアーム主材の取り付けが容易になる。また、簡易アームを解体する場合においてもアーム主材先端に取り付けられた鋼板の重なりを固定するメインボルト５を抜き取ることで、簡易アームは容易に解体できる。
【００１０】
図４は簡易アームの送電鉄塔取り付け状態図である。送電用鉄塔の塔体幅Ｃおよびパネル高さＤは各々の鉄塔で異なるため、簡易アームは、ユニットＡ，Ｂの成す角度を塔体幅Ｃに合わせて調節し、アーム主材用プレート９に接合して取り付けられる。このとき、簡易アームの吊材４には、塔体幅方向の変更を調節する機能が付いていないので、吊材のベンド幅方向の変更は、各鉄塔ごとに設計して吊材用プレート８が鉄塔に取り付けられる。
【００１１】
【発明の効果】
本発明は、以上に説明した手順で行うことにより、以下に記載するような効果を奏する。
【００１２】
「請求項１」のように簡易アームは構成されているため、鉄塔の幅やパネル高さに関係なく自由に取り付けることができる。また、解体時においても、ボルト接合されている部分を外すだけで容易に解体できる。そのため、塔上作業である簡易アームの取り付け取り外しが迅速かつ簡単にでき、簡易アーム解体後も軽量コンパクトなため運搬が簡単でかつ小さいスペースで保管が可能になる。
【図面の簡単な説明】
【図１】 簡易アームの斜視図。
【図２】 簡易アームの平面図。
【図３】 簡易アームの側面図。
【図４】 簡易アームの取り付け状態図。
【符号の説明】
Ａ    ユニットＡ
Ｂ    ユニットＢ
Ｃ    塔体幅
Ｄ    パネル高さ
１    鋼板
２    アーム主材
３    リブ
４    吊材
５    メインボルト
６    ボルト
７    吊材用ボルト
８    吊材用プレート
９    アーム主材用プレート
【図１】
0004521593.tif 000002
【図２】
0004521593.tif 000003
【図３】
0004521593.tif 000004
【図４】
0004521593.tif 000005